(57)【要約】【課題】使用環境に適した通信機器の接続の切り替え方を設定できる通信ネットワークシステム、ルーター、ルーター用のプログラムを提供することを課題とする。【解決手段】インターネット回線に接続されるルーター２と、該ルーター２に接続可能な複数の通信機器３との接続状態を切り替える切替機能を有する通信ネットワークシステム１であって、前記複数の通信機器３のうちの少なくとも一つの通信機器３を、前記接続状態を切り替えるための鍵機器３０として登録し、且つ前記複数の通信機器３のうちの前記鍵機器３０とは別の通信機器３の少なくとも一つを、前記ルーター２との接続状態を切り替える対象である切替対象機器３１として登録する登録手段６と、前記ルーター２と前記鍵機器３０との接続状態が切り替わった際に、前記ルーター２と前記切替対象機器３１との接続状態を切り替える切替制御手段８とを備える。【選択図】図２
2019193010.tif 000002
【特許請求の範囲】
【請求項１】
インターネット回線に接続されているルーターと該ルーターに接続可能な複数の通信機器との接続状態を切り替える切替機能を有する通信ネットワークシステムであって、
前記複数の通信機器のうちの少なくとも一つの通信機器を、前記接続状態を切り替えるための鍵機器として登録し、且つ前記複数の通信機器のうちの前記鍵機器とは別の通信機器の少なくとも一つを、前記ルーターとの接続状態を切り替える対象である切替対象機器として登録する登録手段と、
前記ルーターと前記鍵機器との接続状態が切り替わったときに、前記ルーターと前記切替対象機器との接続状態を切り替える切替制御手段と、を備える、
通信ネットワークシステム。
【請求項２】
前記登録手段は、前記ルーターと前記鍵機器との接続状態が切り替わった際に、前記ルーターへの前記切替対象機器の通信を許可する許可命令、又は前記ルーターへの前記切替対象機器の通信を禁止する禁止命令を設定可能である、
請求項１に記載の通信ネットワークシステム。
【請求項３】
インターネット回線に接続され、且つ複数の通信機器との接続状態を切り替える切替機能を有するルーターであって、
前記複数の通信機器と通信可能な通信手段と、
前記複数の通信機器のうちの少なくとも一つの通信機器を、前記接続状態を切り替えるための鍵機器として登録し、且つ前記複数の通信機器のうちの前記鍵機器とは別の通信機器の少なくとも一つを、前記通信手段との接続状態を切り替える対象である切替対象機器として登録する登録手段と、
前記通信手段と前記鍵機器との接続状態が切り替わったときに、前記通信手段と前記切替対象機器との接続状態を切り替える切替制御手段と、を備える、
ルーター。
【請求項４】
前記登録手段は、前記通信手段と前記鍵機器との接続状態が切り替わった際に、前記通信手段への前記切替対象機器の通信を許可する許可命令、又は前記通信手段への前記切替対象機器の通信を禁止する禁止命令を設定可能である、
請求項３に記載のルーター。
【請求項５】
ルーターを、請求項３又は４に記載のルーターとして機能させる、
ルーター用のプログラム。
【発明の詳細な説明】
【技術分野】
【０００１】
近年、インターネット回線に接続されるルーターと該ルーターと通信可能な通信機器（例えば、パソコンや家電製品等）とで構築される通信ネットワークシステムが普及しており、例えば、特許文献１に開示されているように、ルーターと通信機器との接続状態をユーザーの状況に応じて切り替えるように構成された通信ネットワークシステムも知られている。
【０００２】
かかる通信ネットワークシステムは、異なる２つのＳＳＩＤ（第１のネットワーク識別子、第２のネットワーク識別子）で識別される通信経路を有するルーターと、該ルーターの第１のネットワーク識別子により識別される通信経路（以下、第１の通信経路と称する）に接続可能な第１の無線端末と、該ルーターの第２のネットワーク識別子により識別される通信経路（以下、第２の通信経路と称する）に接続可能な第２の無線端末と、で構築されている。
【０００３】
ルーターは、第１の通信経路と第１の無線端末との接続が確立されたときに、第２の通信経路を有効にし（すなわち、第２の無線端末を接続可能な状態に切り替える）、第１の通信経路と第１の無線端末との接続が切断されたときに、第２の通信経路を無効にする（すなわち、第２の無線端末を接続不能な状態に切り替える）ように構成されている。
【０００４】
そのため、上記通信ネットワークでは、例えば、一般家庭内において、第１の端末を親が所持し、第２の端末を子供が所持すれば、親の在宅時においては子供が第２の端末からインターネット回線を利用することができ、親の不在時においては子供が第２の端末からのインターネット回線の利用を制限することができるようになっている。
【先行技術文献】
【特許文献】
【０００５】
【特許文献１】特開２０１３−７４６０６号公報
【発明の概要】
【発明が解決しようとする課題】
【０００６】
ところで、上記従来の通信ネットワークシステムでは、第２の通信経路には第２の端末以外の通信機器が接続されることがあり、この場合、第１の通信経路と第１の無線端末との接続が切断されると、第２の端末とともに該第２の端末以外の通信機器もインターネット回線から切り離されてしまう。
【０００７】
そのため、上記従来の通信ネットワークシステムでは、使用環境にそぐわない形で通信機器がインターネット回線から切り離されてしまうことがあった。
【０００８】
そこで、本発明は、かかる実情に鑑み、使用環境に適した通信機器の接続の切り替え方を設定できる通信ネットワークシステム、ルーター、ルーター用のプログラムを提供することを課題とする。
【課題を解決するための手段】
【０００９】
本発明の通信ネットワークシステムは、
インターネット回線に接続されているルーターと、該ルーターに接続可能な複数の通信機器との接続状態を切り替える切替機能を有する通信ネットワークシステムであって、
前記複数の通信機器のうちの少なくとも一つの通信機器を、前記接続状態を切り替えるための鍵機器として登録し、且つ前記複数の通信機器のうちの前記鍵機器とは別の通信機器の少なくとも一つを、前記ルーターとの接続状態を切り替える対象である切替対象機器として登録する登録手段と、
前記ルーターと前記鍵機器との接続状態が切り替わったときに、前記ルーターと前記切替対象機器との接続状態を切り替える切替制御手段と、を備える。
【００１０】
上記構成の通信ネットワークシステムによれば、ルーターと鍵機器との接続状態を切り替えることにより、ルーターと切替対象機器との接続状態も切り替えることができ、また、複数の通信機器の中から所望する通信機器のみを切替対象機器として登録することができる。
【００１１】
そのため、前記通信ネットワークシステムは、ルーターと鍵機器との接続状態が切り替わったときに、複数の通信機器のうちの鍵機器以外の通信機器とルーターとの接続状態を使用環境に適した状態にしておくことができる。
【００１２】
また、本発明の通信ネットワークシステムにおいて、
前記登録手段は、前記ルーターと前記鍵機器との接続状態が切り替わった際に、前記ルーターへの前記切替対象機器の通信を許可する許可命令、又は前記ルーターへの前記切替対象機器の通信を禁止する禁止命令を設定可能であってもよい。
【００１３】
かかる構成によれば、ルーターと鍵機器との接続状態が切り替わった際における、ルーターと切替対象機器との接続状態を所望する状態に切り替えることができるため、ルーターと切替対象機器との接続状態を使用環境に合わせた状態にし易くなる。
【００１４】
本発明のルーターは、
インターネット回線に接続され、且つ複数の通信機器との接続状態を切り替える切替機能を有するルーターであって、
前記複数の通信機器と通信可能な通信手段と、
前記複数の通信機器のうちの少なくとも一つの通信機器を、前記接続状態を切り替えるための鍵機器として登録し、且つ前記複数の通信機器のうちの前記鍵機器とは別の通信機器の少なくとも一つを、前記通信手段との接続状態を切り替える対象である切替対象機器として登録する登録手段と、
前記通信手段と前記鍵機器との接続状態が切り替わったときに、前記通信手段と前記切替対象機器との接続状態を切り替える切替制御手段と、を備える。
【００１５】
上記構成のルーターによれば、通信手段と鍵機器との接続状態を切り替えることにより、通信手段と切替対象機器との接続状態も切り替えることができ、また、複数の通信機器の中から所望する通信機器のみを切替対象機器として登録することができる。
【００１６】
そのため、前記ルーターは、通信手段と鍵機器との接続状態が切り替わったときに、複数の通信機器のうちの鍵機器以外の通信機器と通信手段との接続状態を使用環境に適した状態にしておくことができる。
【００１７】
また、本発明のルーターにおいて、
前記登録手段は、前記通信手段と前記鍵機器との接続状態が切り替わった際に、前記通信手段への前記切替対象機器の通信を許可する許可命令、又は前記通信手段への前記切替対象機器の通信を禁止する禁止命令を設定可能であってもよい。
【００１８】
かかる構成によれば、通信手段と鍵機器との接続状態が切り替わった際における、通信手段と切替対象機器との接続状態を所望する状態に切り替えることができるため、通信手段と切替対象機器との接続状態を使用環境に合わせた状態にし易くなる。
【００１９】
そして、本発明のルーター用のプログラムは、ルーターを上記の何れかのルーターとして機能させるように構成される。
【発明の効果】
【００２０】
以上のように、本発明の通信ネットワークシステム、ルーター、ルーター用のプログラムによれば、使用環境に応じた通信機器の接続の切り替え方を設定できる、という優れた効果を奏し得る。
【図面の簡単な説明】
【００２１】
【図１】図１は、本発明の一実施形態に係る通信ネットワークシステムの概要図である。
【図２】図２は、同実施形態に係る通信ネットワークシステムのブロック図である。
【図３】図３は、同実施形態に係る通信ネットワークシステムの機器管理情報の説明図である。
【図４】図４は、同実施形態に係る通信ネットワークシステムの登録手段のブロック図である。
【図５】図５は、同実施形態に係る通信ネットワークシステムの使用状態の説明図であり、（ａ）は鍵機器がルーターに接続されている状態の説明図、（ｂ）は鍵機器がルーターから切断されている状態の説明図である。
【図６】図６は、同実施形態に係る通信ネットワークシステムのメインフローチャートである。
【図７】図７は、同実施形態に係る通信ネットワークシステムにおける、鍵機器の接続状態を判定する処理のフローチャートである。
【図８】図８は、同実施形態に係る通信ネットワークシステムにおける、切替対象機器の接続状態を切り替える処理のフローチャートである。
【図９】図９は、本発明の他の実施形態に係る通信ネットワークシステムにおける、切替対象識別情報の説明図である。
【発明を実施するための形態】
【００２２】
以下、本発明の一実施形態に係る通信ネットワークシステムについて添付図面を参照しつつ説明を行う。
【００２３】
通信ネットワークシステムは、図１に示すように、インターネット回線に接続されるルーター２と、該ルーター２と通信可能な複数の通信機器３と、で構成されるネットワークに構築され、ルーター２に対する複数の通信機器３の接続状態を切り替える切替機能を有するように構成されている。
【００２４】
本実施形態に係る通信ネットワークシステム１は、図２に示すように、ルーター２に設けられ且つ通信機器３と通信可能な通信手段４と、通信手段４と通信する通信機器３を管理するための機器管理情報５０、及び通信手段４に対する通信機器３の通信を禁止するための拒否情報５１を記憶する記憶手段５と、複数の通信機器３のうちの少なくとも一つの通信機器３を鍵機器３０として登録し、且つ複数の通信機器３のうちの鍵機器３０とは別の通信機器３の少なくとも一つを切替対象機器３１として登録する登録手段６と、ルーター２と鍵機器３０との通信状態を監視する監視手段７と、鍵機器３０との接続状態が切り替わったときに、ルーター２と切替対象機器３１との接続状態を切り替える切替制御手段８と、を備えている。
【００２５】
なお、本実施形態では、ルーター２が、上記の通信手段４、記憶手段５、登録手段６、監視手段７、切替制御手段８のそれぞれの手段を備えており、該ルーター２には、これらの各手段を機能させるためのルーター用のプログラムが導入されていればよい。
【００２６】
通信手段４は複数の通信機器３と通信可能である。
【００２７】
機器管理情報５０には、図３に示すように、通信手段４との接続が確立されている通信機器３を識別するための識別情報５００と、識別情報５００により示される通信機器３の種類を示す種別情報５０１と、識別情報５００が示す通信機器３のルーター２との接続状況（通信状況）を示すステータス情報５０２と、が含まれている。
【００２８】
なお、機器管理情報５０には、識別情報５００に対して一つの種別情報５０１と、一つのステータス情報５０２とを関連付けて一組にした情報セットが少なくとも一つ含まれている。
【００２９】
識別情報５００には、通信機器３の固有の情報（例えば、マックアドレス）が登録されている。
【００３０】
種別情報５０１には、関連付けられている識別情報５００により示される通信機器３に対して、ルーター２と通信機器３との接続を制御するための鍵機器３０であることを示す鍵機器識別情報、ルーター２との接続状態が制御される切替対象機器３１であることを示す切替対象識別情報、鍵機器３０及び切替対象機器３１以外の通信機器３（すなわち、ルーター２との接続状態の切替制御の対象としない通信機器３）を示す対象外情報、の何れかの情報が設定されている。
【００３１】
ステータス情報５０２には、関連付けられている識別情報５００により示される通信機器３が通信手段４に接続されているオンライン情報、又は該通信機器３が通信手段４に接続されていないオフライン情報が設定される。
【００３２】
図２に示すように、拒否情報５１には、通信手段４に対する接続を禁止する通信機器３の識別情報５００が設定される。通信手段４は、拒否情報５１を参照しており、拒否情報５１に設定されている通信機器３からの接続要求を受けた際に、該通信機器３からの接続を拒否するように構成されている。
【００３３】
図４に示すように、登録手段６は、通信手段４に接続する通信機器３を登録する機器登録手段６０と、該機器登録手段６０の種別を選択して登録する種別登録手段６１と、機器登録手段６０により登録されている通信機器３の通信手段４との通信状態を示すステータス更新手段６２と、を有する。
【００３４】
機器登録手段６０は、通信機器３が有する固有の情報を識別情報５００に設定する。なお、機器登録手段６０は、手動で識別情報５００に前記固有の情報を設定するように構成されていてもよいし、通信手段４との接続が確立された通信機器３の固有の情報を自動的に識別情報５００に設定するようにしてもよい。
【００３５】
種別登録手段６１は、通信機器３の種類として、ルーター２と通信機器３との接続を制御するための鍵機器３０、ルーター２との接続状態が制御される切替対象機器３１、鍵機器３０及び切替対象機器３１以外の通信機器３（すなわち、ルーター２との接続状態の切替制御の対象としない通信機器３）、の何れかを選択可能であり、選択された種類を示す情報（鍵機器識別情報、切替対象識別情報、対象外情報の何れかの情報）を種別情報５０１に設定するように構成されている。
【００３６】
ステータス更新手段６２は、通信手段４と通信機器３との接続状態を登録可能であり、通信機器３が通信手段４に接続されていることを示すオンライン情報、又は通信機器３が通信手段４に接続されていないことを示すオフライン情報、をステータス情報５０２に設定するように構成されている。なお、ステータス更新手段６２は、通信手段４と通信機器３との接続状態の変化に応じて、ステータス情報５０２をオンライン情報若しくはオフライン情報に自動的に変更するように構成されていればよい。
【００３７】
監視手段７は、通信手段４と鍵機器３０との接続状態を監視（判定）するように構成されており、通信手段４と鍵機器３０とが接続されていると判定したときに、切替制御手段８に対して接続通知を送信し、通信手段４と鍵機器３０とが接続されていないと判定したときに、切替制御手段８に対して切断通知を送信するように構成されている。
【００３８】
なお、監視手段７は、常時、又は所定の時間間隔毎に通信手段４と鍵機器３０との接続状態を監視するように構成されていればよい。また、本実施形態に係る監視手段７は、通信手段４と鍵機器３０との接続が切断された時点から、所定時間経過した後に、通信手段４と鍵機器３０とが接続されていないと判定して切替制御手段８に切断通知を送信するように構成されている。
【００３９】
このように、監視手段７は、ルーター２が設置されているネットワーク内に鍵機器３０が属しているか属していないかを監視するように構成されている。
【００４０】
切替制御手段８は、通信手段４と鍵機器３０との接続状態が切り替わったときに、通信手段４に対する切替対象機器３１の接続状態を切り替えるように構成されている。
【００４１】
本実施形態に係る切替制御手段８は、監視手段７から接続通知を受信したとき（すなわち、通信手段４に鍵機器３０が接続されたとき）に切替対象機器３１の接続状態を切り替える接続時切替処理と、監視手段７から切断通知を受信したとき（すなわち、通信手段４から鍵機器３０が切断されたとき）に切替対象機器３１の接続状態を切り替える切断時切替処理と、を実行するように構成されている。
【００４２】
切替制御手段８は、切断時切替処理において、切替対象識別情報が設定されている種別情報５０１に関連付けられている識別情報５００を取得し、該識別情報５００を拒否情報５１に追加するように構成されている。一方、接続切替処理においては、切替対象識別情報が設定されている種別情報５０１に関連付けられている識別情報５００を取得し、該識別情報５００と一致するものを拒否情報５１から削除するように構成されている。
【００４３】
本実施形態に係る通信ネットワークシステム１の構成は以上の通りである。続いて、本実施形態に係る通信ネットワークシステム１の動作について説明する。
【００４４】
なお、本実施形態では、図５（ａ）、図５（ｂ）に図示されているように、通信ネットワークシステム１が一般家庭に構築されている場合を一例に挙げて以下の説明を行うこととする。この場合の通信機器３とは、例えば、スマートホン、タブレット等の携帯電子機器や、通信機能を持った家電製品のことである。
【００４５】
通信ネットワークシステム１では、機器登録手段６０によって手動又は自動によって、機器管理情報５０に複数の識別情報５００が設定される。
【００４６】
そして、種別登録手段６１によって、複数の識別情報５００のうち鍵機器３０として登録する通信機器３を示す識別情報５００に関連付けられている種別情報５０１には鍵識別情報を設定し、切替対象機器３１として登録する通信機器３を示す識別情報５００に関連付けられている種別情報５０１には切替対象識別情報を設定し、鍵機器３０にも切替対象機器３１にも登録しない通信機器３を示す識別情報５００に関連付けられている種別情報５０１には対象外情報を設定する。
【００４７】
なお、鍵機器３０とする通信機器３の数、切替機器とする通信機器３の数は、特に問わない。また、鍵識別情報、切替対象識別情報、対象外情報の何れも設定されなかった種別情報５０１には、対象外情報を自動的に設定してもよい。
【００４８】
このようにして、通信ネットワークシステム１内の各通信機器３が、鍵機器３０、切替対象機器３１、対象外機器３２（鍵機器３０、切替対象機器３１のいずれにも該当しない制御対象外の通信機器３）の何れかとして登録される。
【００４９】
そして、通信ネットワークシステム１では、図６に示すように、接続切替機能が有効にされると（Ｓ１でＹｅｓ）、ルーター２（通信手段４）への鍵機器３０の接続状態の判定が行われ（Ｓ２）、鍵機器３０の接続状態の判定結果に応じて切替対象機器３１のルーター２への接続状態の切り替えが行われる（Ｓ３）。
【００５０】
ルーター２への鍵機器３０の接続状態の判定を行う場合、図７に示すように、鍵機器３０とルーター２との接続が確立されていれば（Ｓ４でＹｅｓ）、監視手段７は、通信手段４と鍵機器３０とが接続されていると判定した後に、切替制御手段８に対して接続通知を送信する（Ｓ５）。
【００５１】
一方、ルーター２への鍵機器３０の接続状態の判定を行う場合、鍵機器３０がルーター２から切断されている場合（Ｓ４でＮｏ）、監視手段７は、鍵機器３０が通信手段４から切断されていると判定した後に（Ｓ６でＹｅｓ）、切替制御手段８に対して切断通知を送信する（Ｓ７）。
【００５２】
鍵機器３０がルーター２に接続されている状況下において、図８に示すように、切替制御手段８が監視手段７から切断通知を受信した場合（Ｓ８でＮｏであり、Ｓ９でＹｅｓである場合）は、切替制御手段８が切断時処理を実行する（Ｓ１０）。
【００５３】
切断時処理では、切替対象識別情報が設定されている種別情報５０１に関連付けられている識別情報５００が拒否情報５１に追加される。そのため、切断時処理が実行されることにより、通信手段４への切替対象機器３１の接続が拒否（規制）される。
【００５４】
そして、鍵機器３０がルーター２に接続されている状態に戻ると、監視手段７から切替制御手段８に対して接続通知が送信され、切替制御手段８が監視手段７から接続通知を受信すると（Ｓ８でＹｅｓ）、切替制御手段８が接続時処理を実行する（Ｓ１１）。
【００５５】
接続時処理では、切替対象識別情報が設定されている種別情報５０１に関連付けられている識別情報５００と一致する識別情報５００が拒否情報５１から削除される。そのため、接続時処理が実行されることにより、切替対象機器３１の通信手段４への接続に課せられていた規制が解除され、切替対象機器３１が再び通信手段４に接続可能な状態に戻る。
【００５６】
このように、本実施形態に係る通信ネットワークシステム１は、ルーター２を含むネットワーク内への鍵機器３０の属否により、切替対象機器３１のルーター２との接続状態が切り替わるようになっている。そのため、例えば、鍵機器３０を所有する親が在宅の間は、子供等が切替対象機器３１を通じてインターネットを利用することができる一方で、該親が不在の間は、切替対象機器３１からのインターネットの利用を禁止することができる。なお、鍵機器３０にも切替対象機器３１にも登録されていない通信機器３は、ルーター２と鍵機器３０との接続状態にかかわらず、ルーター２に接続されている状態、或いはルーター２から切断されている状態がそのまま維持される。
【００５７】
以上のように、本実施形態に係る通信ネットワークシステム１、及びルーター２によれば、ルーター２と鍵機器３０との接続状態を切り替えることにより、ルーター２と切替対象機器３１との接続状態も切り替えることができ、また、複数の通信機器３の中から所望する通信機器３のみを切替対象機器３１として登録することができる。
【００５８】
そのため、ルーター２と鍵機器３０との接続状態が切り替わったときに、複数の通信機器３のうちの鍵機器３０以外の通信機器３とルーター２との接続状態を使用環境に適した状態にしておくことができる。従って、使用環境に応じた通信機器３の接続の切り替え方を設定できる、という優れた効果を奏し得る。
【００５９】
また、監視手段７は、通信手段４と鍵機器３０との接続が切断された時点から、所定時間経過した後に、通信手段４と鍵機器３０とが接続されていないと判定して切替制御手段８に切断通知を送信するように構成されているため、通信手段４と鍵機器３０との接続が僅かな時間だけ切断される場合は、切替対象機器３１のルーター２への通信状態を維持することができる。
【００６０】
なお、本発明の通信ネットワークシステム、ルーター、及びルーター用のプログラムは、は、上記実施形態に限定されるものではなく、本発明の要旨を逸脱しない範囲内において種々の変更を加え得ることは勿論である。
【００６１】
上記実施形態の通信ネットワークシステム１は、ルーター２と鍵機器３０との接続が切断されたときに、切替対象機器３１をルーター２から切断するように構成されていたが、この構成に限定されない。例えば、通信ネットワークシステム１は、鍵機器３０がルーター２に接続された状態における、切替対象機器３１のルーター２への接続状態と、鍵機器３０がルーター２から切断された状態における、切替対象機器３１のルーター２への接続状態と、を個別にしてできるように構成されていてもよい。
【００６２】
この場合、例えば、図９に示すように、切替対象識別情報には、ルーター２と鍵機器３０との接続状態を示すトリガー情報５０１ａと、該トリガー情報５０１ａに関連付けられた切替命令５０１ｂであって、切替対象機器３１のルーター２への接続状態を切り替えるための切替命令５０１ｂとが含まれていてもよい。
【００６３】
なお、トリガー情報５０１ａには、ルーター２と鍵機器３０とが接続されている状態を指す情報か、鍵機器３０がルーター２から切断されている状態を指す情報が設定されていればよい。また、切替命令５０１ｂには、ルーター２への切替対象機器３１の接続を許可する許可命令か、ルーター２への切替対象機器３１の接続を禁止する禁止命令が設定されていればよい。
【００６４】
また、機器管理情報５０に複数の前記情報セットが記憶されている場合、各情報セットの切替対象識別情報には、それぞれ異なる組み合わせのトリガー情報５０１ａと切替命令５０１ｂとを設定できる。このようにすれば、ルーター２と鍵機器３０との接続状態の切り替わりに応じて、切替対象機器３１とルーター２との接続状態を細かく指定することができるため、切替対象機器３１とルーター２との接続状態を使用環境にさらに適した状態にすることができる。
【００６５】
上記実施形態において、ルーター用のプログラムは、ルーター２に導入されていたが、ルーター２を制御することができれば、例えば、ルーター２とは別の外部の機器に導入されていてもよい。
【００６６】
上記実施形態では、通信ネットワークシステム１が一般家庭に構築されることを一例に挙げたが、例えば、オフィス等の一般家庭以外の場所に構築することも可能である。
【符号の説明】
【００６７】
１…通信ネットワークシステム、２…ルーター、３…通信機器、４…通信手段、５…記憶手段、６…登録手段、７…監視手段、８…切替制御手段、３０…鍵機器、３１…切替対象機器、５０…機器管理情報、５１…拒否情報、６０…機器登録手段、６１…種別登録手段、６２…ステータス更新手段、５００…識別情報、５０１…種別情報、５０１ａ…トリガー情報、５０１ｂ…切替命令、５０２…ステータス情報
【図１】
2019193010.tif 000003
【図２】
2019193010.tif 000004
【図３】
2019193010.tif 000005
【図４】
2019193010.tif 000006
【図５】
2019193010.tif 000007
【図６】
2019193010.tif 000008
【図７】
2019193010.tif 000009
【図８】
2019193010.tif 000010
【図９】
2019193010.tif 000011